(57)【要約】【課題】  車輪に接続されて駆動される潤滑・冷却用のオイルポンプを備えたハイブリッド車両において、車両の後進走行時に発生するオイルの逆流を簡単な構造で阻止する。【解決手段】  車輪に接続されて駆動される第１オイルポンプＰ１により、車両の前進走行時にオイルタンク３１から吸入油路Ｌ１を介して吸入したオイルを第１潤滑・冷却油路Ｌ３を介して潤滑・冷却部Ｍ，Ｃ，３７に供給する。車両の後進走行時に第１オイルポンプＰ１が逆回転して逆流したオイルが第１潤滑・冷却油路Ｌ３側から吸入油路Ｌ１側に供給されても、その吸入油路Ｌ１側に供給されたオイルはチェックバルブ３８を設けたバイパス油路Ｌ４を介して第１潤滑・冷却油路側Ｌ３に戻されるので、第１潤滑・冷却油路Ｌ３に潤滑・冷却部Ｍ，Ｃ，３７からオイルと共に空気が吸入されて第１オイルポンプＰ１にエアレーションが発生するのを簡単な構造で防止することができる。【選択図】        図２
2014040111.tif 000002
【特許請求の範囲】
【請求項１】
電動モータ（Ｍ）およびエンジン（Ｅ）の駆動力で走行可能なハイブリッド車両において、
車輪（Ｗ）に接続されて車両の走行時に駆動される第１オイルポンプ（Ｐ１）と、
前記エンジン（Ｅ）に接続されて該エンジン（Ｅ）の運転時に駆動される第２オイルポンプ（Ｐ２）と、
オイルを貯留するオイルタンク（３１）と、
前記オイルタンク（３１）のオイルを前記第１、第２オイルポンプ（Ｐ１，Ｐ２）に供給する吸入油路（Ｌ１）と、
前記第１オイルポンプ（Ｐ１）が前記吸入油路（Ｌ１）から吸入して吐出したオイルを潤滑・冷却部（Ｍ，Ｃ，３７）に導く第１潤滑・冷却油路（Ｌ３）と、
前記第２オイルポンプ（Ｐ２）が前記吸入油路（Ｌ１）から吸入して吐出したオイルを潤滑・冷却部（Ｍ、Ｇ）に導く第２潤滑・冷却油路（Ｌ６）と、
車両の後進走行時に前記第１オイルポンプ（Ｐ１）の前記吸入油路（Ｌ１）側から前記第１潤滑・冷却油路（Ｌ３）側にオイルを戻すバイパス油路（Ｌ４）と、
を備えることを特徴とするハイブリッド車両。
【請求項２】
前記バイパス油路（Ｌ４）には前記第１潤滑・冷却油路（Ｌ３）側から前記吸入油路（Ｌ１）側へのオイルの流通を阻止する第１チェックバルブ（３８）が設けられることを特徴とする、請求項１に記載のハイブリッド車両。
【請求項３】
前記第１潤滑・冷却油路（Ｌ３）には前記潤滑・冷却部（Ｍ，Ｃ，３７）側から前記第１オイルポンプ（Ｐ１）側へのオイルの流通を阻止する第２チェックバルブ（３６）が設けられることを特徴とする、請求項１または請求項２に記載のハイブリッド車両。
【発明の詳細な説明】
【技術分野】
【０００１】
本発明は、電動モータおよびエンジンの駆動力で走行可能なハイブリッド車両に関する。
【背景技術】
【０００２】
モータに接続されて駆動されるオイルポンプが正回転および逆回転してもオイルの吸入・吐出方向が変化しないように、オイルポンプの吸入ポートに連なる油路に２個のフラッパ弁を設けるとともに、オイルポンプの吐出ポートに連なる油路に２個のフラッパ弁を設けたものが、下記特許文献１により公知である。
【先行技術文献】
【特許文献】
【０００３】
【特許文献１】特開平９−３０３２５６号公報
【発明の概要】
【発明が解決しようとする課題】
【０００４】
ところで、エンジンおよび電動モータを走行用駆動源とするハイブリッド車両において、通常のエンジンを駆動源とする車両と同じように、オイルポンプをエンジンで駆動するように構成すると、エンジンを停止して電動モータで走行するときにオイルポンプを駆動することができないため、電動モータを含む潤滑・冷却部にオイルを供給できなくなる問題がある。
【０００５】
そこで、車輪に接続されて車両の走行時に駆動されるオイルポンプを設ければ、エンジンを停止して電動モータで走行する際にも潤滑・冷却部にオイルを供給することが可能になる。しかしながら、このように構成すると、車両の後進走行にオイルポンプが逆回転してオイルの吸入・吐出方向が逆になると、潤滑・冷却部にオイルを供給することができなくなるだけでなく、潤滑・冷却部からオイルポンプにオイルと共に空気が吸入されるエアレーションが発生してオイルポンプが作動不能になることが懸念される。
【０００６】
この場合、上記特許文献１に記載されたように、オイルポンプに連なる油路に４個のフラッパ弁を設ければオイルの吸入・吐出方向の逆転を回避することが可能であるが、部品点数の増加によってコストアップする問題がある。
【０００７】
本発明は前述の事情に鑑みてなされたもので、車輪に接続されて駆動される潤滑・冷却用のオイルポンプを備えたハイブリッド車両において、車両の後進走行時に発生するオイルの逆流を簡単な構造で阻止することを目的とする。
【課題を解決するための手段】
【０００８】
上記目的を達成するために、請求項１に記載された発明によれば、電動モータおよびエンジンの駆動力で走行可能なハイブリッド車両において、車輪に接続されて車両の走行時に駆動される第１オイルポンプと、前記エンジンに接続されて該エンジンの運転時に駆動される第２オイルポンプと、オイルを貯留するオイルタンクと、前記オイルタンクのオイルを前記第１、第２オイルポンプに供給する吸入油路と、前記第１オイルポンプが前記吸入油路から吸入して吐出したオイルを潤滑・冷却部に導く第１潤滑・冷却油路と、前記第２オイルポンプが前記吸入油路から吸入して吐出したオイルを潤滑・冷却部に導く第２潤滑・冷却油路と、車両の後進走行時に前記第１オイルポンプの前記吸入油路側から前記第１潤滑・冷却油路側にオイルを戻すバイパス油路とを備えることを特徴とするハイブリッド車両が提案される。
【０００９】
また請求項２に記載された発明によれば、請求項１の構成に加えて、前記バイパス油路には前記第１潤滑・冷却油路側から前記吸入油路側へのオイルの流通を阻止する第１チェックバルブが設けられることを特徴とするハイブリッド車両が提案される。
【００１０】
また請求項３に記載された発明によれば、請求項１または請求項２の構成に加えて、前記第１潤滑・冷却油路には前記潤滑・冷却部側から前記第１オイルポンプ側へのオイルの流通を阻止する第２チェックバルブが設けられることを特徴とするハイブリッド車両が提案される。
【００１１】
尚、実施の形態のクラッチＣ、ジェネレータＧ、電動モータＭおよびベアリング３７は本発明の潤滑・冷却部に対応する。
【発明の効果】
【００１２】
請求項１の構成によれば、車輪に接続されて車両の走行時に駆動される第１オイルポンプにより、車両の前進走行時にオイルタンクから吸入油路を介して吸入したオイルを第１潤滑・冷却油路を介して潤滑・冷却部に供給することができる。また車両の停止時および後進走行時に第１オイルポンプから第１潤滑・冷却油路にオイルを供給できなくなっても、エンジンで第２オイルポンプを駆動することで、第２オイルポンプがオイルタンクから吸入油路を介して吸入したオイルを第２潤滑・冷却油路を介して潤滑・冷却部に供給することができる。車両の後進走行時に第１オイルポンプが逆回転して第１潤滑・冷却油路側のオイルが吸入油路側に供給されても、その吸入油路側に供給されたオイルはバイパス油路を介して第１潤滑・冷却油路側に戻されるので、第１潤滑・冷却油路に潤滑・冷却部から空気が吸入されて第１オイルポンプにエアレーションが発生するのを簡単な構造で防止することができる。
【００１３】
また請求項２の構成によれば、バイパス油路に第１潤滑・冷却油路側から吸入油路側へのオイルの流通を阻止する第１チェックバルブを設けたので、車両の前進走行時には第１潤滑・冷却油路側のオイルがバイパス油路を介して吸入油路側へ戻されるのを阻止しながら、車両の後進走行時には吸入油路側のオイルをバイパス油路を介して第１潤滑・冷却油路側に戻すことができる。
【００１４】
また請求項３の構成によれば、第１潤滑・冷却油路に潤滑・冷却部側から第１オイルポンプ側へのオイルの流通を阻止する第２チェックバルブを設けたので、車両の後進走行時に第１オイルポンプが逆回転しても、第１潤滑・冷却油路に潤滑・冷却部から空気が吸入されて第１オイルポンプにエアレーションが発生するのを防止することができる。
【図面の簡単な説明】
【００１５】
【図１】ハイブリッド車両の動力伝達系のスケルトン図。
【図２】トランスミッション、電動モータおよびジェネレータの潤滑・冷却系の油圧回路。
【図３】第１、第２オイルポンプの作動を説明するフローチャート。
【発明を実施するための形態】
【００１６】
以下、図１〜図３に基づいて本発明の実施の形態を説明する。
【００１７】
図１はハイブリッド車両の動力伝達系のスケルトン図であって、トランスミッションＴは平行に配置されたインプットシャフト１１およびアウトプットシャフト１２を備える。インプットシャフト１１にはエンジンＥのクランクシャフト１３が直列に接続されており、アウトプットシャフト１２はファイナルドライブギヤ１４、ファイナルドリブンギヤ１５、ディファレンシャルギヤＤおよび左右のドライブシャフト１６，１６を介して左右の車輪Ｗ，Ｗに接続される。インプットシャフト１１にクラッチＣを介して支持された第１ドライブギヤ１７が、アウトプットシャフト１２に固設した第１ドリブンギヤ１８に噛合する。
【００１８】
電動モータＭおよびジェネレータＧが同軸に配置されており、中空のモータシャフト１９の内部にジェネレータシャフト２０が相対回転自在に嵌合する。モータシャフト１９に固設した第２ドライブギヤ２１がアウトプットシャフト１２に固設した第２ドリブンギヤ２２に噛合し、またインプットシャフト１１に固設したジェネレータドライブギヤ２３がジェネレータシャフト２０に固設したジェネレータドリブンギヤ２４に噛合する。
【００１９】
第１オイルポンプＰ１の第１ポンプシャフト２５に固設した第１ポンプギヤ２６が前記ファイナルドリブンギヤ１５に噛合しており、車輪Ｗ，Ｗが回転しているときには、その駆動力で第１オイルポンプＰ１が駆動される。またよりなる第２オイルポンプＰ２の第２ポンプシャフト２７に固設した第２ポンプギヤ２８が前記ジェネレータドライブギヤ２３に噛合しており、エンジンＥが回転しているときには、その駆動力で第２オイルポンプＰ２が駆動される。
【００２０】
従って、電動モータＭを駆動すると、モータシャフト１９の駆動力が第２ドライブギヤ２１→第２ドリブンギヤ２２→アウトプットシャフト１２→ファイナルドライブギヤ１４→ファイナルドリブンギヤ１５→ディファレンシャルギヤＤ→ドライブシャフト１６，１６の経路で左右の車輪Ｗ，Ｗに伝達される。電動モータＭは正逆両方向に回転可能であるため、その回転方向に応じて車両を前進走行および後進走行させることができる。また車両の減速時に車輪Ｗ，Ｗから伝達される駆動力で電動モータＭを駆動してジェネレータとして機能させれば、車両の運動エネルギーを電気エネルギーとして回収することができる。
【００２１】
クラッチＣを締結した状態でエンジンＥを駆動すると、クランクシャフト１３の駆動力がインプットシャフト１１→クラッチＣ→第１ドライブギヤ１７→第１ドリブンギヤ１８→アウトプットシャフト１２→ファイナルドライブギヤ１４→ファイナルドリブンギヤ１５→ディファレンシャルギヤＤ→ドライブシャフト１６，１６の経路で左右の車輪Ｗ，Ｗに伝達され、車両の前進走行時にエンジンＥの駆動力で電動モータＭの駆動力をアシストすることができる。このとき、電動モータＭを空転させれば、エンジンＥの駆動力だけで車両を前進走行させることもできる。
【００２２】
またエンジンＥが駆動されているとき、クランクシャフト１３の駆動力はインプットシャフト１１→ジェネレータドライブギヤ２３→ジェネレータドリブンギヤ２４→ジェネレータシャフト２０の経路でジェネレータＧに伝達されるため、ジェネレータＧに発電をさせることができる。逆にエンジンＥの停止中にジェネレータＧをモータとして駆動すれば、ジェネレータＧの駆動力でエンジンＥをクランキングして始動することができる。
【００２３】
ところで、第２オイルポンプＰ２の第２ポンプシャフト２７は、エンジンＥのクランクシャフト１３にインプットシャフト１１、ジェネレータドライブギヤ２３および第２ポンプギヤ２８を介して接続されているため、エンジンＥが回転しているときに第２オイルポンプＰ２は常時駆動され、かつエンジンＥの回転方向は一定であるために第２オイルポンプＰ２の吐出方向は常に一定である。
【００２４】
一方、第１オイルポンプＰ１の第１ポンプシャフト２５は、車輪Ｗ，Ｗにドライブシャフト１６，１６、ディファレンシャルギヤＤ、ファイナルドリブンギヤ１５および第１ポンプギヤ２６を介して接続されているため、車輪Ｗ，Ｗが回転しているときに第１オイルポンプＰ１は常時駆動され、車輪Ｗ，Ｗの回転方向は前進走行時と後進走行時とで反転するため、第１オイルポンプＰ１の吐出方向は反転する。
【００２５】
図２は前記トランスミッションＴ、電動モータＭおよびジェネレータＧ等の潤滑・冷却系の油圧回路を示すもので、オイルタンク３１から延びる吸入油路Ｌ１が、第１オイルポンプＰ１の吸入ポート３２ｉおよび第２オイルポンプＰ２の吸入ポート３３ｉに接続される。
【００２６】
第１オイルポンプＰ１の吐出ポート３２ｏから延びる第１吐出油路Ｌ２は第１レギュレータバルブ３４を介して第１潤滑・冷却油路Ｌ３に接続される。第２チェックバルブ３６を介装した第１潤滑・冷却油路Ｌ３は、電動モータＭ、トランスミッションＴのベアリング３７、クラッチＣ等に潤滑・冷却用のオイルを供給する。第１オイルポンプＰ１の吸入ポート３２ｉおよび吐出ポート３２ｏを接続するバイパス油路Ｌ４に、第１チェックバルブ３８が介装される。
【００２７】
第１チェックバルブ３８は、第１オイルポンプＰ１の吸入ポート３２ｉ側から吐出ポート３２ｏ側へのオイルの流通を許容し、その逆方向のオイルの流通を阻止する。第２チェックバルブ３６は、第１レギュレータバルブ３４から電動モータＭ、ベアリング３７、クラッチＣ等へのオイルの流通を許容し、その逆方向のオイルの流通を阻止する。
【００２８】
第２オイルポンプＰ２の吐出ポート３３ｏから延びる第２吐出油路Ｌ５は、第２レギュレータバルブ３５を介して第２潤滑・冷却油路Ｌ６に接続され、第２潤滑・冷却油路Ｌ６は電動モータＭおよびジェネレータＧに潤滑・冷却用のオイルを供給する。
【００２９】
第１潤滑・冷却油路Ｌ３と、第２潤滑・冷却油路Ｌ６の第２チェックバルブ３６よりも下流側位置とが、連結油路Ｌ７で相互に連通する。
【００３０】
尚、第２レギュレータバルブ３５を通過した第２吐出油路Ｌ５は、クラッチ制御回路３９およびクラッチ制御油路Ｌ８を介してクラッチＣに接続される。
【００３１】
次に、上記構成を備えた本発明の実施の形態の作用を説明する。
【００３２】
図３のフローチャートは、第１オイルポンプＰ１および第２オイルポンプＰ２による潤滑・冷却の作用を示すもので、先ずステップＳ１で車両が前進走行していれば、ステップＳ２で第１オイルポンプＰ１が吐出するオイルにより冷却・潤滑を行う。即ち、車両が前進走行しているとき、車輪Ｗ，Ｗに接続された第１オイルポンプＰ１は図２の矢印Ａ方向に回転し、オイルタンク３１のオイルを吸入油路Ｌ１から吸入ポート３２ｉに吸入し、吐出ポート３２ｏから第１吐出油路Ｌ２に吐出する。このとき吸入ポート３２ｉに連なる吸入油路Ｌ１と吐出ポート３２ｏに連なる第１吐出油路Ｌ２とはバイパス油路Ｌ４で接続されているが、バイパス油路Ｌ４に介装した第１チェックバルブ３８が閉弁することにより吐出ポート３２ｏから吸入ポート３２ｉへのオイルの還流が阻止される。
【００３３】
そして第１吐出油路Ｌ２に吐出されたオイルは第１レギュレータバルブ３４で調圧された後、第２チェックバルブ３６を介装した第１潤滑・冷却油路Ｌ３を経て電動モータＭ、ベアリング３７、クラッチＣ等を潤滑・冷却する。また第１潤滑・冷却油路Ｌ３のオイルの一部は連結油路Ｌ７を介して第２潤滑・冷却油路Ｌ６に供給され、そこから電動モータＭおよびジェネレータＧを潤滑・冷却する。
【００３４】
以上のように、車両の前進走行時には、車輪Ｗ，Ｗに接続された第１オイルポンプＰ１が吸入ポート３２ｉから吸入したオイルを吐出ポート３２ｏから吐出するため、各潤滑部および各冷却部を支障なく潤滑・冷却することができる。特に、電動モータＭは車輪Ｗ，Ｗの回転数と比例する回転数で回転するため、高速前進走行時に回転数が増加して必要な潤滑・冷却用のオイルの量が増加するが、高速前進走行時には第１オイルポンプＰ１の回転数が増加してオイルの吐出量も増加するため、車両の前進走行速度に応じて変化する必要オイル量を自動的に確保することが可能となる。
【００３５】
前記ステップＳ１で車両が前進走行していないとき、即ち車両が停止しているか後進走行しているとき、第１オイルポンプＰ１は第１潤滑・冷却油路Ｌ３にオイルを供給することができなくなる。何故ならば、第１オイルポンプＰ１は車輪Ｗ，Ｗに接続されているため、車両の停止時には第１オイルポンプＰ１が回転しないからである。また車両の後進走行時には、第１オイルポンプＰ１が図２の矢印Ｂ方向に逆転するため、オイルを吐出ポート３２ｏから吸入して吸入ポート３２ｉから吐出するからである。
【００３６】
このように、車両の後進走行時に第１オイルポンプＰ１が逆転すると、第１潤滑・冷却油路Ｌ３のオイルが第１吐出油路Ｌ２および吸入油路Ｌ１を介してオイルタンク３１に戻されてしまい、第１オイルポンプＰ１が空気を吸い込んで機能しなくなる、いわゆるエアレーションが発生する虞がある。しかしながら本実施の形態によれば、第１オイルポンプＰ１が逆転したときに、吸入ポート３２ｉから吸入油路Ｌ１に吐出されたオイルがバイパス油路Ｌ４に介装した第１チェックバルブ３８を押し開き、第１吐出油路Ｌ２から吐出ポート３２ｏに吸入されるため、オイルがバイパス油路Ｌ４および第１オイルポンプＰ１を矢印Ｄ方向に循環して前記エアレーションの発生が未然に回避される。また、オイルパン３１への加圧も防ぐことができる。
【００３７】
このとき、第１潤滑・冷却油路Ｌ３に介装した第２チェックバルブ３６が閉弁するため、第１潤滑・冷却油路Ｌ３をオイルと共に空気が矢印Ｅ方向に逆流してエアレーションが発生するのを一層確実に防止することができる。
【００３８】
上述したように、車両が停止あるいは後進走行しているときには第１オイルポンプＰ１による潤滑・冷却が不能になるが、ステップＳ３で車速や電動モータＭの温度から潤滑・冷却が必要であると判断され、かつステップＳ４でエンジンＥが停止していれば、ステップＳ５でエンジンＥを始動した後に、またステップＳ４でエンジンＥが運転していればそのまま、ステップＳ６で第２オイルポンプＰ２が吐出するオイルで潤滑・冷却を支障なく継続することができる。
【００３９】
即ち、エンジンＥによって第２オイルポンプＰ２が矢印Ｃ方向に回転すると、オイルタンク３１のオイルを吸入油路Ｌ１から吸入ポート３３ｉに吸入し、吐出ポート３３ｏから第２吐出油路Ｌ５に吐出する。第２吐出油路Ｌ５に吐出されたオイルは第２レギュレータバルブ３５で調圧された後、第２潤滑・冷却油路Ｌ６を経て電動モータＭおよびジェネレータＧを潤滑・冷却する。また第２潤滑・冷却油路Ｌ６のオイルの一部は連結油路Ｌ７を介して第１潤滑・冷却油路Ｌ３に供給され、そこから電動モータＭ、ベアリング３７、クラッチＣ等を潤滑・冷却する。
【００４０】
以上のように、本実施の形態によれば、車両が前進走行しているときには、車輪Ｗ，Ｗによって駆動される第１オイルポンプＰ１で潤滑・冷却部に自動的に必要充分な量のオイルを供給することができるので、オイル供給のための無駄な駆動力を削減して燃費向上に寄与することができる。また第１オイルポンプＰ１がオイルを供給することができない車両の停止時や後進走行時には、エンジンＥの駆動力で第２オイルポンプＰ２を駆動することで、潤滑・冷却部に支障なくオイルを供給することができる。
【００４１】
また第１オイルポンプＰ１から延びる第１潤滑・冷却油路Ｌ３と、第２オイルポンプＰ２から延びる第２潤滑・冷却油路Ｌ６とが連通油路Ｌ７で相互に連通しているので、第１、第２オイルポンプＰ１，Ｐ２の一方が停止している場合でも、他方の作動しているオイルポンプから第１、第２潤滑・冷却油路Ｌ３，Ｌ６の両方にオイルを供給して全ての潤滑・冷却部にオイルを供給することができるだけでなく、停止したオイルポンプから延びる潤滑・冷却油路に空気が入ってエアレーションが発生するのを未然に防止することができる。
【００４２】
尚、電動モータＭおよびエンジンＥの両方の駆動力で車両が前進走行しているとき、例えば前進高速走行時や前進登坂時には、第１オイルポンプＰ１および第２オイルポンプＰ２の両方が吐出する充分な量のオイルで潤滑・冷却が行われる。
【００４３】
以上、本発明の実施の形態を説明したが、本発明はその要旨を逸脱しない範囲で種々の設計変更を行うことが可能である。
【００４４】
例えば、実施の形態ではバイパス油路Ｌ４に第１チェックバルブ３８を設けているが．第１チェックバルブ３８の代わりにソレノイドバルブを設け、そのソレノイドバルブを車両の前進走行時に閉弁して車両の後進走行時に開弁するように制御しても良い。バイパス油路Ｌ４に第１チェックバルブ３８を設けてもソレノイドバルブを設けても、バルブの数は１個で済むため、部品点数の削減によるコストダウンが可能になる。
【００４５】
また第１、第２オイルポンプＰ１，Ｐ２の形式は任意であり、トロコイドポンプ、ベーンポンプ、ギヤポンプ、ピストンポンプ等の任意の形式のポンプを採用することができる。
【００４６】
また実施の形態では第１オイルポンプＰ１をディファレンシャルギヤＤのファイナルドリブンギヤ１５により駆動しているが、ファイナルドライブギヤ１４、アウトプットシャフト１２、第１ドリブンギヤ１８、第２ドリブンギヤ２２のように、車輪Ｗ，Ｗに常時接続されて回転する任意の部材により駆動することができる。
【符号の説明】
【００４７】
Ｃ        クラッチ（潤滑・冷却部）
Ｅ        エンジン
Ｇ        ジェネレータ（潤滑・冷却部）
Ｌ１      吸入油路
Ｌ３      第１潤滑・冷却油路
Ｌ４      バイパス油路
Ｌ６      第２潤滑・冷却油路
Ｍ        電動モータ（潤滑・冷却部）
Ｐ１      第１オイルポンプ
Ｐ２      第２オイルポンプ
Ｗ        車輪
３１      オイルタンク
３６      第２チェックバルブ
３７      ベアリング（潤滑・冷却部）
３８      第１チェックバルブ
【図１】
2014040111.tif 000003
【図２】
2014040111.tif 000004
【図３】
2014040111.tif 000005